(57)【要約】【課題】使用後の歯ブラシを水切りするための、効果的であり、かつ多量のゴミを生じさせず、さらには毎日のように洗わなくても清潔保持を行うことができる方法がなかった。本発明は、以上の問題点を解決するための歯ブラシ水切りケースを提供する。【解決手段】  内部に固定された板または可動の板を設け、開閉可能な蓋状の面をつくるまたは容器を分割することができるようにするなどのブラシが付いている歯ブラシの先端部を内部に出し入れすることができるような構造にし、歯ブラシのブラシが付いている先端部がその板を境に前後または左右に往復することができるほどの広さの内部空間がある容器を設けた歯ブラシ水切りケース。【選択図】図２
2019051281.tif 000002
【特許請求の範囲】
【請求項１】
内部に固定された板を設け、開閉可能な蓋状の面をつくるまたは容器を分割することができるようにするなどのブラシが付いている歯ブラシの先端部を内部に出し入れすることができるような構造にし、歯ブラシのブラシが付いている先端部がその板を境に前後または左右に往復することができるほどの広さの内部空間がある容器を設けた歯ブラシ水切りケース。
【請求項２】
内部に動かすことができる板を設け、開閉可能な蓋状の面をつくるまたは容器を分割することができるようにするなどのブラシが付いている歯ブラシの先端部を内部に出し入れすることができるような構造にし、歯ブラシのブラシを入れることができる広さの内部空間がある容器を設けた歯ブラシ水切りケース。
【発明の詳細な説明】
【技術分野】
【０００１】  本発明は、歯磨きを行った後の歯ブラシに使用する歯ブラシ水切りケースに関するものである。
【背景技術】
【０００２】  歯ブラシをなるべく清潔に保つためには、歯磨きを行った後にブラシ部分の水分を減らす水切りを行わなくてはならない。
従来、歯磨きを行った後の歯ブラシの水切りについては、歯ブラシを空中で振ったり、タオルやティッシュペーパーに歯ブラシを押し付けたりしてきた。
【先行技術文献】
【特許文献】
【０００３】
【特許文献１】該当するものはない。
【発明の概要】
【発明が解決しようとする課題】
【０００４】  歯ブラシを空中で振っても飛び散る水滴は少なく、効果的に水切りができない。
また、ティッシュペーパーに歯ブラシを押し付ける方法を用いると、毎回家族の人数分の枚数のティッシュペーパーが必要になり、多量のゴミが生じてしまう。
さらに、タオルで歯ブラシの水分をとる方法についてだが、タオルは水分を内部に吸収してしまうため、清潔保持のためには毎日のように洗わなくてはならず面倒である。
本発明は、以上の問題点を解決するためになされたものである。
【課題を解決するための手段】
【０００５】  内部に固定された板を設け、開閉可能な蓋状の面をつくるまたは容器を分割することができるようにするなどのブラシが付いている歯ブラシの先端部を内部に出し入れすることができるような構造にし、歯ブラシのブラシが付いている先端部がその板を境に前後または左右に往復することができるほどの広さの内部空間がある容器を設ける。
以上の構成よりなる歯ブラシ水切りケース。
【発明の効果】
【０００６】  歯磨きを行った後の歯ブラシの水切りを効果的に行うことができ、かつ、ゴミが生じず、さらには、水洗いする頻度が少なくても不衛生にならない。
【図面の簡単な説明】
【０００７】
【図１】穴が開いている面と平行に板を設ける場合の本発明の斜視図
【図２】図１の本発明の使用状態を表す断面図
【図３】図１の本発明の蓋上の面を開けた状態を表す斜視図
【図４】穴が開いている面と垂直に板を設ける場合の本発明の使用状態を表す断面図
【図５】穴が開いている面と平行に可動の板を設ける場合の本発明の断面図
【図６】穴が開いている面と垂直に可動の板を設ける場合の本発明の断面図
【発明を実施するための形態】
【０００８】  以下、本発明の実施の形態を説明する。
（ア）透明な合成樹脂が素材であり、一つの面の中央には板（１）が固定されており、板（１）が固定されている面と向かい合う面が開閉可能な蓋状の面（２）になっており、蓋状の面（２）と板（１）が固定されている面のいずれとも垂直な面のうちの一つには歯ブラシの柄の断面よりやや大きい穴（３）が開いている直方体の容器（４）を設ける。
なお、板（１）は、穴（３）が開いている面と平行になるように固定する。
容器（４）の内部空間の広さは、ブラシが付いている歯ブラシの先端部（５）が板（１）を境に前後に往復することができるほどの広さにする。
蓋状の面（２）を開けた際に、その面から歯ブラシの先端部（５）を容器（４）に入れることができるように、蓋状の面（２）と、蓋状の面（２）と穴（３）の間の容器（４）の壁を一体化させ、かつ、蓋状の面（２）と一体化している穴（３）の存在する面の壁を、同じ面の他の壁と分離させる。
（イ）透明な合成樹脂が素材であり、一つの面の中央には板（１）が固定されており、その板（１）が固定されている面と向かい合う面が開閉可能な蓋状の面（２）になっており、蓋状の面（２）と板（１）が固定されている面のいずれとも垂直な面のうちの一つには歯ブラシの柄の断面の二倍よりやや大きい穴（３）が開いている直方体の容器（４）を設ける。
なお、板（１）は、穴（３）が開いている面と垂直になるように固定する。
容器（４）の内部空間の広さは、ブラシが付いている歯ブラシの先端部（５）が板（１）を境に左右に往復することができるほどの広さにする。
蓋状の面（２）を開けた際に、その面から歯ブラシの先端部（５）を容器（４）に入れることができるように、蓋状の面（２）と、蓋状の面（２）と穴（３）の間の容器（４）の壁を一体化させ、かつ、蓋状の面（２）と一体化している穴（３）の存在する面の壁を、同じ面の他の壁と分離させる。
（ウ）透明な合成樹脂が素材であり、一つの面には動かすことができる可動の板（６）が付いており、その可動の板（６）が付いている面と向かい合う面が開閉可能な蓋状の面（２）になっており、蓋状の面（２）と可動の板（６）が付いている面のいずれとも垂直な面のうちの一つには歯ブラシの柄の断面よりやや大きい穴（３）が開いている直方体の容器（４）を設ける。
なお、穴（３）が開いている面と平行になるように可動の板（６）を付ける。
この可動の板（６）については、容器（４）の外から手動で動かすことができるものとし、穴（３）が開いている面から見て前後に動くようなものとする。
可動の板（６）が付いている面には、穴（３）が開いている面からみて前後の方向に走る二本の直線の溝をつくる。
可動の板（６）には二か所の突起部をつくり、その突起部を前述した二本の溝から容器（４）の外に出す。
可動の板（６）の二か所の突起部の容器（４）の外に出ている部分を、橋渡しするように取っ手を付ける。
可動の板（６）が倒れてしまわないように、二か所の突起部の容器（４）の内側の部分には横に張り出した形状の部位をつくり、同様に突起部の容器（４）の外に出ている部分にも横に張り出した形状の部位をつくる。
前述した可動の板（６）と二か所の突起部と取っ手を、一体化させる。
容器（４）の内部空間は、ブラシが付いている歯ブラシの先端部（５）がちょうど収まるほどの広さで十分であり、（ア）の場合で必要となるほどの広さは不要である。
蓋状の面（２）を開けた際に、その面から歯ブラシの先端部（５）を容器（４）に入れることができるように、蓋状の面（２）と、蓋状の面（２）と穴（３）の間の容器（４）の壁を一体化させ、かつ、蓋状の面（２）と一体化している穴（３）の存在する面の壁を、同じ面の他の壁と分離させる。
（エ）透明な合成樹脂が素材であり、一つの面には可動の板（６）が付いており、その可動の板（６）が付いている面と向かい合う面が開閉可能な蓋状の面（２）になっており、蓋状の面（２）と可動の板（６）が付いている面のいずれとも垂直な面のうちの一つには歯ブラシの柄の断面の二倍よりやや大きい穴（３）が開いている直方体の容器（４）を設ける。
なお、穴（３）が開いている面と垂直になるように動かすことができる可動の板（６）を付ける。
この可動の板（６）については、容器（４）の外から手動で動かすことができるものとし、穴（３）が開いている面から見て左右に動くようなものとする。
可動の板（６）の構造については（ウ）と同じものであるが、（ウ）で述べた二本の溝を穴（３）が開いている面から見て前後ではなく左右に走らせる。
容器（４）の内部空間は、ブラシが付いている歯ブラシの先端部（５）がちょうど収まるほどの広さで十分であり、（イ）の場合で必要となるほどの広さは不要である。
蓋状の面（２）を開けた際に、その面から歯ブラシの先端部（５）を容器（４）に入れることができるように、蓋状の面（２）と、蓋状の面（２）と穴（３）の間の容器（４）の壁を一体化させ、かつ、蓋状の面（２）と一体化している穴（３）の存在する面の壁を、同じ面の他の壁と分離させる。
本発明は以上の（ア）、（イ）、（ウ）、（エ）のいずれかの構造である。
ただし、本発明が（ア）、（イ）、（ウ）、（エ）のいずれかの場合であっても、開閉可能な蓋状の面（２）をなくしていずれの面も開閉できないようにし、ブラシの付いた歯ブラシの先端部（５）をそのまま容器（４）内部に入れることができるほどに穴（３）を大きくする構造に変更することができる。
この構造に変更した場合には、穴（３）が大きくなってしまうため、歯ブラシがはじいた水滴が穴から外に出てしまわないように水滴が左右に飛び散るようにするため、板（１）や可動の板（６）を穴（３）が開いている面と垂直にする。
さらに、この構造に変更した場合には、水を穴（３）から入れなくてはならず水洗いがやや面倒になるが、構造がより簡単になるため製作費をより低く抑えることができる。
また、本発明が（ア）、（イ）、（ウ）、（エ）のいずれかの場合であっても、開閉可能な蓋状の面（２）をなくしていずれの面も開閉できないようにし、その代わりに、穴（３）が開いている面から見て左右に容器（４）を二分割できるようにし、容器を割った際に穴（３）も割れるようにし、歯ブラシの先端部（５）を出し入れすることができるようにすることもできる。
容器（４）を二分割できる構造に変更した場合には、容器（４）を穴（３）が開いている面から見て左右または上下に均等に二つに分割する。そして、それらの二つの容器を結合したり分離したりできるように、一つの容器のそれぞれの容器どうしが接する縁に複数の突起を付け、もう一つの方の容器のそれぞれの容器どうしが接する縁にその突起を差し込む複数の穴を付け、板（１）または可動の板（６）についてはどちらかの容器のみに付属させ分割させない。
以下、本発明の使用方法について説明する。
（オ）（ア）の構造の場合の使用方法は次のとおりである。
蓋状の面（２）を開け、歯磨きした後の歯ブラシの先端部（５）を容器（４）の中に入れ、そして蓋状の面（２）を閉める。
歯ブラシの先端部（５）を容器（４）に入れる際には、板（１）が付いている面に歯ブラシのブラシが向くようにし、穴（３）がある面と板（１）との間の空間に入れるようにする。
歯ブラシの先端部（５）を容器（４）に入れたら、歯ブラシのブラシが板（１）に軽く当たるようにしながら、使用者から離れていくような向き、すなわち前方に歯ブラシを押し出す。
板（１）によって後方に曲げられた歯ブラシのブラシの毛が前方に戻る時の動きにより、歯ブラシから多量の水滴が前方に飛び散る。
飛び散った水滴は容器（４）の内部に付着するため、周囲の洗面台に付着することはない。
前方に押し出された歯ブラシを、次は使用者に近づいてくるような向き、すなわち後方へと引き戻す。
前方に歯ブラシを押し出した際に既にほとんどの水分は水滴として飛び散ってしまっているが、後方に歯ブラシを引き戻すことでさらに水分を切ることができる。
後方に歯ブラシを引き戻した際の水滴は、板（１）からみて斜め上方向に飛んでいくため、穴から容器の外に飛び散ってしまう水滴はかなり少ない。
水分を切り終えた後は、蓋状の面（２）を開け、歯ブラシの先端部（５）を容器（４）から取り出す。
容器（４）は合成樹脂の素材でできているため水分を素材の内部に吸い込んでしまうことがなく、一週間に一度程度の簡単な水洗いで清潔を保つことができる。
容器（４）の内部を水洗いする際には、蓋状の面（２）を開けて行う。
（カ）（イ）の構造の場合の使用方法は次のとおりである。
蓋状の面（２）を開け、歯磨きした後の歯ブラシの先端部（５）を容器（４）の中に入れ、そして蓋状の面（２）を閉める。
歯ブラシの先端部（５）を容器（４）に入れる際には、板（１）が付いている面に歯ブラシのブラシが向くようにし、板（１）で区切られた左右どちらかの空間に入れるようにする。
歯ブラシの先端部（５）を容器（４）に入れたら、歯ブラシのブラシが板（１）に軽く当たるようにしながら、歯ブラシのブラシを板（１）を境にして左右に住復させる。
水切りの糸は、蓋状の面（２）を開け、歯ブラシの先端部（５）を容器（４）から取り出す。
清潔保持のため、一週間に一度程度は、蓋状の面（２）を開けて簡単な水洗いを行う。
（キ）（ウ）の構造の場合の使用方法は次のとおりである。
蓋状の面（２）を開け、歯磨きした後の歯ブラシの先端部（５）を容器（４）の中に入れ、そして蓋状の面（２）を閉める。
歯ブラシの先端部（５）を容器に入れる際には、可動の板（６）が付いている面に歯ブラシのブラシが向くようにし、穴（３）が開いている面から遠い方の端に板を寄せておく。
歯ブラシのブラシが軽く可動の板（６）に当たるような高さで保持し、可動の板（６）と一体化しており容器（４）の外に出ている取っ手を前後に往復させる。
水切りの後は、蓋状の面（２）を開け、歯ブラシの先端部（５）を容器（４）から取り出す。
清潔保持のため、一週間に一度程度は、蓋状の面（２）を開けて簡単な水洗いを行う。
（ク）（エ）の構造の場合の使用方法は次のとおりである。
蓋状の面（２）を開け、歯磨きした後の歯ブラシの先端部（５）を容器（４）の中に入れ、そして蓋状の面（２）を閉める。
歯ブラシの先端部（５）を容器（４）に入れる際には、可動の板（６）が付いている面に歯ブラシのブラシが向くようにし、可動の板（６）をいずれかの端に寄せておく。
歯ブラシのブラシが軽く可動の板（６）に当たるような高さで保持し、可動の板（６）と一体化しており容器（４）の外に出ている取っ手を左右に往復させる。
水切りの後は、蓋状の面（２）を開け、歯ブラシの先端部（５）を容器（４）から取り出す。
清潔保持のため、一週間に一度程度は、蓋状の面（２）を開けて簡単な水洗いを行う。
【符号の説明】
【０００９】    １  板、２  蓋状の面、３  穴、４  容器、５  歯ブラシの先端部、６  可動の板、    ７  可動の板を動かすための溝
【図１】
2019051281.tif 000003
【図２】
2019051281.tif 000004
【図３】
2019051281.tif 000005
【図４】
2019051281.tif 000006
【図５】
2019051281.tif 000007
【図６】
2019051281.tif 000008